(57)【要約】【課題】釣竿の方向、及び角度を容易に調整することができ、且つ、釣り対象の魚種が異なっても安定した姿勢で使用し続けることができる釣竿受具を提供する。【解決手段】アンカ１ーとベース２との間にベース２の旋回角度を調整する第一調整機構１０が設けられ、ベース２とスタンド３との間にスタンド３の揺動角度を調整する第二調整機構２０が設けられ、アンカー１に掛かる負担を分散させる補助脚４ａ，４ｂがベース２に対して着脱可能に設けられ、ベース２の姿勢変化、及び／又はスタンド３の姿勢変化に応じて、補助脚４ａ，４ｂの有効長及び／又は角度を調整する第三調整機構３０がベース２に設けられ、補助脚４ａ，４ｂの有効長は、当該補助脚４ａ，４ｂに形成された螺旋状の溝に沿って変更可能であり、螺旋状の溝のピッチ幅が補助脚４ａ，４ｂの中央寄りほど小さくなるように構成されている。【選択図】図１
2018033405.tif 000002
【特許請求の範囲】
【請求項１】
岩場に固定して使用する釣竿受具であって、
前記岩場を穿孔しながら圧入されるアンカーと、
前記アンカーに対して上面視で旋回可能に取り付けられるベースと、
前記ベースに対して正面視で揺動可能に枢支される釣竿を載置するスタンドと、
を備え、
前記アンカーと前記ベースとの間に前記ベースの旋回角度を調整する第一調整機構が設けられ、
前記ベースと前記スタンドとの間に前記スタンドの揺動角度を調整する第二調整機構が設けられ、
釣り対象の魚種に応じて、前記アンカーに掛かる負担を分散させる補助脚が前記ベースに対して着脱可能に設けられ、
前記第一調整機構の操作に伴う前記ベースの姿勢変化、及び／又は前記第二調整機構の操作に伴う前記スタンドの姿勢変化に応じて、前記補助脚の有効長及び／又は角度を調整する第三調整機構が前記ベースに設けられ、
前記補助脚の有効長は、当該補助脚に形成された螺旋状の溝に沿って変更可能であり、前記螺旋状の溝のピッチ幅が前記補助脚の中央寄りほど小さくなるように構成されている釣竿受具。
【請求項２】
前記補助脚に形成された螺旋状の溝のピッチ間の凸状部分が、断面視で丸みを帯びた形状に構成されている請求項１に記載の釣竿受具。
【請求項３】
前記補助脚に形成された螺旋状の溝のピッチ間の凸状部分が、断面視で一方に傾斜した形状に構成されている請求項１に記載の釣竿受具。
【請求項４】
前記補助脚は、前記ベースの両側に一対設けられ、各補助脚の螺旋状の溝のネジ切り方向は、互いに逆方向である請求項１〜３の何れか一項に記載の釣竿受具。
【請求項５】
前記螺旋状の溝が、前記補助脚の中央付近のみに設けられている請求項１〜４の何れか一項に記載の釣竿受具。
【発明の詳細な説明】
【技術分野】
【０００１】
本発明は、岩場に固定して使用する釣竿受具に関する。
【背景技術】
【０００２】
海岸や川岸等で釣りをする際、岩場に釣竿受具を設置し、釣竿受具に釣竿を載置し固定させる。このようにすれば、使用者は釣竿を長時間持つことなく、魚が釣竿に掛かるまで待つことができる。このときに用いられる釣竿受具は、釣竿を載置させる台に支持具が取り付けられてあり、この支持具を岩場の隙間等に突き刺して釣竿受具を固定することが一般的である。しかし、釣りをしたい場所が釣竿受具の設置が困難であるような岩場であれば、釣竿受具を設置するまでに時間を要する場合がある。そして、このような場所に釣竿受具を一旦固定すると、釣場を気軽に変更し難くなるため、釣竿受具を設置した状態で釣竿を所望のポイントに向くように調整することが使用者にとって望ましい。また、釣り対象の魚の重量が重い場合、釣竿に掛かった魚の動きによって釣竿が引っ張られ、釣竿のバランスが悪化し、その影響で釣竿受具が転倒する虞がある。このため、釣竿受具をできるだけ強固に岩場に固定する必要がある。
【０００３】
従来、釣竿を所望の角度で安定して支持することができ、釣竿の角度の調整が容易な釣竿支持具があった（例えば、特許文献１を参照）。特許文献１の釣竿支持具は、支持脚とこの支持脚に左右方向に回動可能に取り付けられた旋回部材と、旋回部材に上下方向に回動可能に枢着された長尺状の竿受けスタンドとを有し、竿受けスタンドの先端側を上方に屈曲させて竿受部材を設けるとともに、竿受けスタンドの基端側に竿のストッパ部材を設けている。このような構成により、釣竿支持具を固定したまま、竿受けスタンドを上下方向に回動させて釣竿を所望の角度に調整することができ、釣竿から手を離した状態で釣りをすることができる、とされている。
【０００４】
また、岩場等の高低差のある釣場で釣竿を安定して支持するための竿受け装置があった（例えば、特許文献２を参照）。特許文献２の竿受け装置は、基台に上下動可能な一対の位置調節板を対向させて取り付け、その各位置調節板の下面両側に、夫々の基台の側方に向かって回動する支持脚を取り付け、基台の上面に回動可能に取付けた旋回台に、竿受け棒を支持する２個の竿受けスタンドを設け、その一方のスタンドに対して他方のスタンドと竿受け棒との支持部の高さを変化可能とすると共に、各スタンドの支持部と竿受け軸の一方に、スタンドと竿受け棒を固定する固定手段を設けている。このような構成により、各位置調節板と各支持脚とを調整して、高低差のある足場でも安定して竿受け装置を支持することができる。また、旋回台を回動させれば、釣竿の水平方向の向きを調整することができ、さらに、スタンドに対する固定ボルトの位置を変化させれば、釣竿の上下方向の傾きを調整することもできる、とされている。
【先行技術文献】
【特許文献】
【０００５】
【特許文献１】特開２００１−３０９７４１号公報
【特許文献２】特開平５−２２７８６８号公報
【発明の概要】
【発明が解決しようとする課題】
【０００６】
特許文献１の釣竿支持具は、岩場に釣竿支持具の支持脚を固定した状態で、釣竿を載置するスタンドの上下方向の角度を調整し、釣竿を所望の方向に向けることができる。これにより、急斜面等の不安定な場所でも釣竿の角度を調整することができ、また、釣りの最中でも釣竿の角度の微調整が行える。しかし、特許文献１の釣竿支持具は、釣竿の角度の調整は上下方向のみ可能であり、左右方向に対して釣竿を調整することができない。そのため、一旦釣竿支持具を設置すると、釣竿が向けられるポイントはその設置場所に限定される。釣りのポイントを変更したい場合は、釣竿支持具ごと釣場から移動しなければならないため、非常に手間が掛かることとなる。
【０００７】
一方、特許文献２の竿受け装置は、スタンドに取り付けられている固定ボルトにより釣竿の上下方向の傾きを調整し、さらに、旋回台を設けているため、釣竿の水平方向の向きも調整できるように構成されている。このため、竿受け装置を岩場等に設置した後であっても、釣竿を上下方向、及び左右方向に動作させ、所望の方向や角度に調整することができる。特許文献２の竿受け装置は、水平方向にも釣竿の向きを調整することができるため、釣場を変更しなくても、設置した場所を中心に釣竿を動かし得る範囲で釣りができる。また、高低差のある岩場等でも支持脚を利用して竿受け装置を安定に設置することができる。しかし、特許文献２の竿受け装置に係る支持脚は、高低差のある岩場等であっても安定に竿受け装置を設置する、という課題を解決するために機能するものであり、釣竿に掛かった魚の重量によって釣竿が引っ張られ、竿受け装置の姿勢が不安定になった場合には、竿受け装置を安定して支持し続けることは困難である。
【０００８】
このように、現状では、岩場等で釣りをする際、釣場に釣竿受具を設置した状態で、釣竿を上下方向、及び左右方向に動かして釣竿の方向や角度を調整可能とする構成、及び釣竿に掛かる魚によって釣竿が引っ張られても、釣竿受具の姿勢を安定して維持できるような釣竿受具はいまだ開発されていない。本発明は、上記問題点に鑑みてなされたものであり、釣竿の方向、及び角度を容易に調整することができ、且つ、釣り対象の魚種が異なっても安定した姿勢で使用し続けることができる釣竿受具を提供することを目的とする。
【課題を解決するための手段】
【０００９】
上記課題を解決するための本発明に係る釣竿受具の特徴構成は、
岩場に固定して使用する釣竿受具であって、
前記岩場を穿孔しながら圧入されるアンカーと、
前記アンカーに対して上面視で旋回可能に取り付けられるベースと、
前記ベースに対して正面視で揺動可能に枢支される釣竿を載置するスタンドと、
を備え、
前記アンカーと前記ベースとの間に前記ベースの旋回角度を調整する第一調整機構が設けられ、
前記ベースと前記スタンドとの間に前記スタンドの揺動角度を調整する第二調整機構が設けられ、
釣り対象の魚種に応じて、前記アンカーに掛かる負担を分散させる補助脚が前記ベースに対して着脱可能に設けられ、
前記第一調整機構の操作に伴う前記ベースの姿勢変化、及び／又は前記第二調整機構の操作に伴う前記スタンドの姿勢変化に応じて、前記補助脚の有効長及び／又は角度を調整する第三調整機構が前記ベースに設けられ、
前記補助脚の有効長は、当該補助脚に形成された螺旋状の溝に沿って変更可能であり、前記螺旋状の溝のピッチ幅が前記補助脚の中央寄りほど小さくなるように構成されていることにある。
【００１０】
本構成の釣竿受具は、第一調整機構がアンカーとベースとの間に設けられてあり、この第一調整機構を操作することによって、アンカーに対して上面視でベースを旋回させることができる。このとき、ベースの上に取り付けられているスタンドもベースの旋回に伴って水平方向に回動するため、スタンドの旋回角度を自由に調整することができる。このような構成により、使用者は、スタンドに載置されている釣竿の水平方向の向き（旋回角度）を、所望の向きに設定することができる。また、第二調整機構がベースとスタンドとの間に設けられてあり、この第二調整機構を操作することによって、ベースに対してスタンドを正面視で揺動させ、スタンドの上下方向の角度（揺動角度）を調整することができる。このような構成により、使用者は、スタンドに載置されている釣竿の先端部分の上下方向の角度、つまり、釣竿の先端部分の高さ位置を自由に設定することができる。
【００１１】
本発明の釣竿受具は、上記の第一調整機構の操作によるベースの旋回角度の調整、及び第二調整機構の操作によるスタンドの揺動角度の調整を、釣竿受具を岩場に設置した状態で行うことができる。このため、釣竿の先端部分の高さ位置の調整や、釣りのポイントを変更したい場合、わざわざ釣竿受具の設置場所を変更する必要がなく、使用者にとって利便性の高い釣竿受具となる。また、上記の構成のとおり、第一調整機構、及び第二調整機構は、夫々異なる箇所に設けられてあり、別個独立に操作することができる。このため、釣竿の水平方向の向き（ベースの旋回角度）、及び上下方向の角度（スタンドの揺動角度）を夫々自由に設定することができ、使用者は最適に釣竿をセットすることができる。
【００１２】
本発明の釣竿受具は、上記の構成により、第一調整機構の操作によってベースの旋回角度を調整し、第二調整機構の操作によってスタンドの揺動角度を調整することができる。しかし、このように調整した場合でも、ベース、及び／又はスタンドの姿勢が変化し、釣竿受具全体のバランスが悪化して転倒することもある。そこで、本発明の釣竿受具は、補助脚の有効長及び／又は角度を調整する第三調整機構が設けられている。第三調整機構によって補助脚の有効長及び／又は角度を調整することにより、ベース、及び／又はスタンドの姿勢をより安定な状態に維持することができる。その結果、アンカーに過度な負担がかからないため、釣竿受具がより安定化し、転倒する虞が生じなくなる。
【００１３】
本発明の釣竿受具は、補助脚の有効長が、補助脚に形成された螺旋状の溝に沿って変更可能であることから、補助脚を回転させながら固定位置を決定することができる。第三調整機構の構成部材によって、補助脚が適切な高さや角度になるように固定位置を決定することができるため、釣竿受具全体に強い力がかかった場合であっても、アンカーや補助脚が上下、左右にずれにくくなる。さらに、螺旋状の溝のピッチ幅が補助脚の中央寄りほど小さくなるように構成されていることから、補助脚の端部付近では上下移動を迅速に行い、中央寄り付近に来たときに固定位置を微調整することが可能となる。その結果、釣竿受具を所望の高さ、角度に調整することが可能となり、段差や凹凸のある岩場等であっても安定した状態で釣竿受具が強固に固定されるため、釣り対象の魚が重量のものであり、あらゆる方向から過度な負荷がかかった場合であっても、アンカーと補助脚とによる固定位置がずれにくく、釣竿受具がより安定化しているため、転倒する虞が生じなくなる。
【００１４】
本発明に係る釣竿受具において、
前記補助脚に形成された螺旋状の溝のピッチ間の凸状部分が、断面視で丸みを帯びた形状に構成されていることが好ましい。
【００１５】
本構成の釣竿受具は、上記のような構成により、第三調整機構の構成部材が、補助脚に形成された螺旋状の溝に係合されやすくなり、凸状部分においては係合されにくくなる。つまり、第三調節機構の構成部材による補助脚の固定位置が、凸状部分では不安定で溝方向に向かって移動しやすくなり、溝の部分で補助部材が係合して固定されやすくなる。その結果、凸状部分ではなく、溝の部分で補助脚を所望の高さ、角度に調整することが可能となり、段差や凹凸のある岩場等であっても安定した状態で釣竿受具が強固に固定されるため、釣り対象の魚が重量のものであり、あらゆる方向から過度な負荷がかかった場合であっても、アンカーと補助脚とによる固定位置がずれにくく、釣竿受具がさらに安定化しているため、転倒する虞が生じなくなる。
【００１６】
本発明に係る釣竿受具において、
前記補助脚に形成された螺旋状の溝のピッチ間の凸状部分が、断面視で一方に傾斜した形状に構成されていることが好ましい。
【００１７】
本構成の釣竿受具は、上記のような構成により、第三調整機構の構成部材が、補助脚に形成された螺旋状の溝に係合されやすくなり、凸状部分においては係合されにくくなる。つまり、第三調節機構の構成部材による補助脚の固定位置が、凸状部分における傾斜の先にある溝方向に向かって滑りやすくなり、溝の部分で補助部材が係合して固定されやすくなる。その結果、凸状部分ではなく、溝の部分で補助脚を所望の高さ、角度に調整することが可能となり、段差や凹凸のある岩場等であっても安定した状態で釣竿受具が強固に固定されるため、釣り対象の魚が重量のものであり、あらゆる方向から過度な負荷がかかった場合であっても、アンカーと補助脚による固定位置がずれにくく、釣竿受具がさらに安定化しているため、転倒する虞が生じなくなる。
【００１８】
本発明に係る釣竿受具において、
前記補助脚は、前記ベースの両側に一対設けられ、各補助脚の螺旋状の溝のネジ切り方向は、互いに逆方向であることが好ましい。
【００１９】
本構成の釣竿受具は、補助脚の螺旋状の溝のネジ方向を左右対照、例えば螺旋の向きを何れも内向き、又は何れも外向きにすることにより、釣り対象の魚が重量のものであって、釣竿受具に負荷が大きくかかる場合であっても、補助脚にかかる力が対称に分散されることから、釣竿受具をより安定して固定することが可能となる。その結果、段差や凹凸のある岩場等であっても安定した状態で釣竿受具が強固に固定され、釣り対象の魚が重量のものであり、あらゆる方向から力がかかった場合であっても、アンカーと補助脚による固定位置がずれにくく、釣竿受具がさらに安定化しているため、転倒する虞が生じなくなる。
【００２０】
本発明に係る釣竿受具において、
前記螺旋状の溝が、前記補助脚の中央付近のみに設けられていることが好ましい。
【００２１】
本構成の釣竿受具は、螺旋状の溝を補助脚の中央付近にのみに設けることにより、一定の範囲における高さや角度の調整が可能となるとともに、その範囲以外においては、補助脚の移動を円滑にスライドさせることが可能となる。その結果、釣竿受具を設置する際には、補助脚の固定位置を容易に、且つ短時間で調整することが可能となる。また、使用後は、補助脚を容易に、且つ短時間で取り外すことも可能となる。
【図面の簡単な説明】
【００２２】
【図１】図１は、本発明の一実施形態に係る釣竿受具の全体構成を示す斜視図である。
【図２】図２は、図１に示した釣竿受具の分解斜視図である。
【図３】図３は、別実施形態に係る釣竿受具の分解斜視図である。
【図４】図４は、別実施形態に係る釣竿受具の分解斜視図である。
【図５】図５は、本発明に係る釣竿受具の補助脚の螺旋状の溝の拡大図である。
【図６】図６は、別実施形態に係る釣竿受具の補助脚の螺旋状の溝の拡大図である。
【図７】図７は、本発明の釣竿受具に係るスタンドの前端側の様子を示す図である。
【図８】図８は、本発明の釣竿受具に係るベースが、上面視で水平方向に旋回している様子を示す図である。
【図９】図９は、本発明の釣竿受具に係るスタンドが、正面視で上下方向に揺動している様子を示す図である。
【図１０】図１０は、本発明の釣竿受具に係る第三調整機構の操作に伴う補助脚の有効長及び／又は角度の変化の様子を示す図であり、（ａ）補助脚の有効長の変化を示す図であり、（ｂ）補助脚の角度の変化を示す図である。
【発明を実施するための形態】
【００２３】
以下、本発明に係る釣竿受具の実施形態について、図１〜図１０に基づいて説明する。ただし、本発明は、以下に説明する実施形態や図面に記載される構成に限定されることを意図しない。
【００２４】
＜釣竿受具の全体構成＞
図１は、本発明の一実施形態に係る釣竿受具１００の全体構造を示す斜視図である。図２は、図１に示した釣竿受具１００の分解斜視図である。図３及び４は、別実施形態に係る釣竿受具の分解斜視図である。釣竿受具１００は、主な構成部材として、岩場を穿孔しながら圧入されるアンカー１と、アンカー１に対して上面視で旋回可能に取り付けられるベース２と、ベース２に対して正面視で揺動可能に枢支される釣竿（後述の図７に示すＡ）を載置するスタンド３とを備えている。さらに、釣竿受具１００は、アンカー１に掛かる負担を分散させる補助脚４ａ，４ｂを備えている。アンカー１とベース２との間には第一調整機構１０、ベース２とスタンド３との間には第二調整機構２０が夫々設けられている。さらに、第一調整機構１０、及び第二調整機構２０の操作に応じて補助脚４ａ，４ｂの有効長及び／又は角度を調整する第三調整機構３０が設けられている。第一調整機構１０、第二調整機構２０、及び第三調整機構３０の詳細については後述する。以下、釣竿受具１００の各構成について、具体的に説明する。
【００２５】
［アンカー］
図１〜４に示されるように、アンカー１は、尖鋭状となっている下端１ａと、ネジ構造となっている上端１ｂとを有する。アンカー１とベース２との間には第一調整機構１０が設けられてあり、第一調整機構１０はアンカー１とベース２とを連結する第一調整連結部１１としても機能する。釣竿受具１００を使用する際は、アンカー１の上端１ｂを、第一調整連結部１１の下端に設けられているアンカー取付部１１ａに取り付け、アンカー１の下端１ａ側を岩場に挿入する。アンカー１の下端１ａは尖鋭状であるため、アンカー１を岩場に穿孔しながら圧入する作業が行い易くなる。
【００２６】
アンカー１は、設置する岩場や釣り対象の魚種に応じて、サイズを変更可能なように構成することができる。例えば、釣り対象の魚種が重い魚である場合、釣竿受具１００が倒れないように固定する必要があるため、アンカー１を岩場にできるだけ深く穿孔しながら圧入することが望ましい。このような場合に使用するアンカー１は、通常使用するアンカー１よりも長いものが適している。そこで、本実施形態の釣竿受具１００では、アンカー１が第一調整機構１０を介してベース２から取り外し可能であるように構成されている。このため、アンカー１を適切なサイズや形状のものに交換することができる。このように、アンカー１は、釣り対象の魚種や、圧入する岩場の状態に応じて、適宜交換することが可能である。
【００２７】
［ベース］
図１〜４に示されるように、ベース２は、第一調整機構１０を介してアンカー１が取り付けられ、また、第二調整機構２０を介してスタンド３が取り付けられる部材である。さらに、ベース２には、第三調整機構３０を介して補助脚４ａ，４ｂを取り付け可能である。ベース２とアンカー１との間に設けられる第一調整機構１０は、上記した第一調整連結部１１、及び第一調整ダイヤル１２から構成されている。ベース２には、第一調整連結部１１を取り付けるための孔が設けられている（図示しない）。
【００２８】
ベース２とスタンド３との間には第二調整機構２０が設けられている。第二調整機構２０は、第二調整ボルト２１、及び当該第二調整ボルト２１を挿通するための第二調整孔２２から構成される。第二調整孔２２は、ベース２に設けられている孔１３、及びスタンド３に設けられている孔２３から構成される。ベース２にスタンド３を取り付ける際、ベース２側の孔１３とスタンド３側の孔２３とが重なり合うようにベース２とスタンド３とを配置する。
【００２９】
上述のように、ベース２は、第三調整機構３０を介して補助脚４ａ，４ｂが取り付けられるが、第三調整機構３０は、ベース２と補助脚４ａ，４ｂとを連結する第三調整連結部３１としても機能する。ベース２は、第三調整連結部３１を取り付けるための孔である第三調整連結孔３２、ベース２と第三調整連結部３１とを連結するための連結部材である第三調整連結ボルト３３、及び第三調整連結部３１を取り付ける際に開閉させる第三調整開閉部３４を有する。ここで、第三調整機構３０を介してベース２に補助脚４ａ，４ｂを取り付けるとは、ベース２に連結した第三調整連結部３１に補助脚４ａ，４ｂを取り付けることを意味する。
【００３０】
［スタンド］
図１〜４に示されるように、スタンド３は、釣竿を載置する台であり、第二調整機構２０を介してベース２に取り付けられる。スタンド３には、ベース２と連結するための孔２３が設けられている。スタンド３は、各調整機構の操作により、ベース２の旋回やスタンド３の揺動が生じた場合であっても、釣竿がスタンド３から脱落することを防止する支持部材としても機能する。
【００３１】
〔前受部〕
上記のとおり、釣竿がスタンド３から脱落することを防止するため、釣竿を支持する部材が、スタンド３の前端側、及び基端側に夫々設けられている。図１〜４に示されるように、前受部２４は、スタンド３の前端側に設けられる支持部材であり、釣竿の先端側を支持する。ここで、「釣竿の先端側」とは、釣竿の基端部に対して相対的に先端側であることを意味し、スタンド３の前受部２４によって支持することが可能な範囲である。そのため、必ずしも、釣糸が垂らされる釣竿の先端部のみを指すものではない。前受部２４は、上方に突出した形態をしており、先端部分にはＵ字部材２４ａが設けられている。釣竿は、Ｕ字部材２４ａの上に載置される。図２〜４に示されるように、前受部２４のＵ字部材２４ａの各上部には、対向する位置に前受部孔２５ａ，２５ｂが夫々設けられてあり、この前受部孔２５ａ，２５ｂに前受部ピン２６が挿通可能にされている。このような構成であるため、釣竿をスタンド３に載置する際、前受部２４のＵ字部材２４ａの上に釣竿の先端側を載置し、前受部孔２５ａ，２５ｂに前受部ピン２６を挿通させれば、釣竿の先端側が前受部２４と前受部ピン２６とによって囲まれた状態となり、釣竿の脱落を防止することができる。前受部２４は、ボルト５によってスタンド３に取り付けられているため、ボルト５を緩めれば、当該ボルト５を軸として前受部２４を上下方向に揺動させることが可能となり、前受部２４の揺動角度を調整することができる。
【００３２】
〔当接部材〕
図７は、釣竿受具１００に係るスタンド３の前端側の様子を示す図である。ベース２とスタンド３との間に設けられる第二調整機構２０を操作すると、図７に示されるように、スタンド３とともに釣竿Ａも上下方向に揺動する。ここで、釣竿Ａの先端側が比較的上向き、又は下向きとなった場合、釣竿の前受部２４で支持されていた部分が、前受部２４から若干浮いた状態となり、釣竿Ａのバランスが崩れることがある。釣竿Ａがこのような状態のときに魚が掛かると、魚が釣竿Ａの先端部を引っ張るため、釣竿Ａが揺さぶられ、使用者は釣竿Ａを持ち難くなる場合がある。そこで、釣竿受具１００には、釣竿Ａの動作に追随して釣竿Ａの表面に当接する当接部材２７が設けられている。図２〜４に示されるように、当接部材２７の形状は、前受部２４の先端部分（Ｕ字部材２４ａ）と略同一であり、当接部材孔２８ａ，２８ｂが設けられている。当接部材孔２８ａ，２８ｂのサイズは、前受部２４の前受部孔２５ａ，２５ｂと同一か、若干大きくされる。当接部材２７は、当接部材孔２８ａと前受部孔２５ａとが重なり、当接部材孔２８ｂと前受部孔２５ｂとが重なるようにして前受部２４の内側に設けられ、当接部材孔２８ａ，２８ｂを支点として回動又は揺動するように構成されている。図７に示されるように、スタンド３が略水平状態であるとき、当接部材２７は、前受部２４に略重なった状態となっているため、スタンド３に載置された釣竿Ａは当接部材２７に直接的に接する。ここで、釣竿Ａがスタンド３の揺動角度の変化に伴って揺動した場合、当接部材２７が当接部材孔２８ａ，２８ｂを支点として回動又は揺動するが、釣竿Ａの動作に追随して当接状態を維持する。このため、スタンド３の揺動角度の変化に伴って釣竿Ａの傾きが変化しても、前受部２４、及び当接部材２７が釣竿Ａを確実に支持するため、釣竿Ａのバランスが崩れ難くなる。
【００３３】
〔後受部〕
図１〜４に示されるように、後受部２９は、スタンド３の後端側に設けられる支持部材であり、釣竿の基端部を支持する。後受部２９は、前受部２４と同様に上方に突出した形態をしており、後端部分に箱型部材２９ａが設けられている。スタンド３に釣竿を載置する際、後受部２９の箱型部材２９ａの中に釣竿の基端部を嵌め込めば、釣竿の基端側を支持するストッパとなる。このように、スタンド３に載置した釣竿を前受部２４と後受部２９とで支持することにより、釣竿がスタンド３から脱落することを防止できる。このため、使用者は、釣竿を適切にスタンド３に載置すれば、釣竿から手を離した状態で釣りをすることができる。後受部２９は、前受部２４と同様に、ボルト６によってスタンド３に取り付けられているため、ボルト６を緩めれば、当該ボルト６を軸として後受部２９を上下方向に揺動させることが可能となり、後受部２９の揺動角度を調整することができる。従って、後述する第二調整機構２０の操作によるスタンド３の揺動角度の調整と併せて、前受部２４、及び後受部２９の揺動角度を調整した場合、使用者はより好ましい釣竿の先端部の高さ位置（揺動角度）を設定することができる。
【００３４】
［補助脚］
図１〜４に示されるように、補助脚４ａ，４ｂは、第三調整機構３０を介してベース２に取り付けられる部材であり、ベース２を挟んで対向する位置に対称に配置される。補助脚４ａ，４ｂは、アンカー１に掛かる負担を分散させる機能を有し、後述する第三調整機構３０に係る調整機構（有効長調整機構、及び角度調整機構）の操作の対象となる。図１及び２に示す釣竿受具の補助脚４ａ，４ｂは、夫々の螺旋状の溝３５ａ，３５ｂのネジ切り方向が、同じ方向となるように設けられており、この溝３５ａ，３５ｂに第三調整機構３０の構成部材（後述する第三調整ボルト）を係合させることにより、補助脚４ａ，４ｂは第三調整機構３０を介してベース２に取り付けられる。螺旋状の溝３５ａ，３５ｂのピッチ幅は、補助脚４ａ，４ｂの中央寄りほど小さくなるように設けられており、補助脚の角度や高さを微調整することができる。螺旋状の溝３５ａ，３５ｂのピッチ幅は、補助脚４ａ，４ｂの上端側と下端側とから中央寄りにかけて、段階的に狭くなっていてもよいし、中央寄りの領域のみのピッチ幅が狭くなっていてもよい。中央寄りの最も狭いピッチ幅は、上端側や下端側の最も広いピッチ幅の１／２〜１／５であることが好ましい。補助脚の径は、アンカーの径の１／１〜１／４であることが好ましい。また、補助脚の先端に縦方向の切れ込みを入れることにより（図示しない）、岩場に微細な凹凸があっても、強固に固定することができる。
【００３５】
図３に示す釣竿受具の補助脚４ａ，４ｂは、夫々螺旋状の溝３５ｃ，３５ｄのネジ切り方向は、互いに逆方向に設けられており、この溝３５ｃ，３５ｄに第三調整機構３０の構成部材（後述する第三調整ボルト）を係合させることにより、補助脚４ａ，４ｂは第三調整機構３０を介してベース２に取り付けられる。螺旋状の溝３５ｃ，３５ｄのピッチ幅は、補助脚４ａ，４ｂの中央寄りほど小さくなるように設けられており、補助脚の角度や高さを微調整することができる。なお、図３では、夫々螺旋状の溝３５ｃ，３５ｄのネジ切り方向が、互いに内側に向かうように設けられているが、外側に向かうように設けられていても、補助脚４ａ，４ｂにかかる力が対称に分散される。螺旋状の溝３５ａ，３５ｂのピッチ幅は、補助脚４ａ，４ｂの上端側と下端側とから中央寄りにかけて、段階的に狭くなっていてもよいし、中央寄りの領域のみのピッチ幅が狭くなっていてもよい。補助脚４ａ，４ｂに設けられる螺旋状の溝３５ａ，３５ｂのピッチ幅、及び補助脚の径は、図２の釣竿受け具の補助脚４ａ，４ｂと同様とすることができる。また、補助脚の先端に縦方向の切れ込みを入れることにより（図示しない）、岩場に微細な凹凸があっても、強固に固定することができる。
【００３６】
図４に示す釣竿受具の補助脚４ａ，４ｂは、上端側と下端側とには溝が設けられておらず、補助脚４ａ，４ｂの中央付近に螺旋状の溝３５ｅ，３５ｆが設けられている。補助脚４ａ，４ｂは、夫々の螺旋状の溝３５ｅ，３５ｆのネジ切り方向が、同じ方向となるように設けられていてもよく、互いに逆方向に設けられていてもよい。この溝３５ｅ，３５ｆに第三調整機構３０の構成部材（後述する第三調整ボルト）を係合させることにより、補助脚４ａ，４ｂは第三調整機構３０を介してベース２に取り付けられる。螺旋状の溝３５ｅ，３５ｆは、補助脚の長さ方向の１／２〜１／５の領域に設けられることが好ましい。ピッチ幅は、同じ幅でもよいし、中央寄りに段階的に狭くなっていてもよい。補助脚の径は、アンカーの径の１／１〜１／４であることが好ましい。また、補助脚の先端に縦方向の切れ込みを入れることにより（図示しない）、岩場に微細な凹凸があっても、強固に固定することができる。
【００３７】
図５は、本発明に係る釣竿受具の補助脚４ａ，４ｂの螺旋状の溝３５の拡大図である。螺旋状の溝のピッチ間には凸状部分３６が設けられている。凸状部分は、断面視で丸みを帯びた形状に構成されている。第三調整機構３０の構成部材（後述する第三調整ボルト）が、凸状部分３６には係合しても安定せず、溝３５に移動して係合しやすくなるように構成されている。溝３０の横幅と凸状部分３６との横幅は、同じであってもよいし、凸状部分が丸みを帯びた形状を保持していれば、異なっていてもよい。
【００３８】
図６は、別実施形態に係る釣竿受具の補助脚４ａ，４ｂの螺旋状の溝３５の拡大図である。螺旋状の溝のピッチ間には凸状部分３６が設けられている。凸状部分は、断面視で一方に傾斜した形状に構成されている。第三調整機構３０の構成部材（後述する第三調整ボルト）が、凸状部分３６には係合しても溝方向に滑りやすく、溝３５に移動して係合しやすくなるように構成されている。溝３０の横幅と凸状部分３６との横幅の長さは、同じであってもよいし、凸状部分が傾斜を保持していれば、異なっていてもよい。凸状部分の傾斜角は、１５度以上とすることが好ましい。
【００３９】
上記のとおり、アンカー１は、岩場に穿孔しながら圧入し、釣竿受具１００を支持する。しかし、例えば、重量の重い魚が釣竿に掛かり、この魚の釣竿を引っ張る力が大きい場合、アンカー１に過剰な負担が掛かる場合がある。このような場合、ベース２、及びスタンド３のバランスが悪化するため、釣竿受具１００全体の姿勢が傾いたり、最終的に転倒する虞がある。上述の補助脚４ａ，４ｂは、アンカー１に掛かる負担を分散させるように機能する。補助脚４ａ，４ｂは、釣竿受具１００全体のバランスを安定させることに有効となる。また、後述する第一調整機構１０、及び／又は第二調整機構２０の操作によってベース２、及び／又はスタンド３の姿勢が変化した場合、釣竿受具１００のバランスが悪化し、転倒する虞もある。このような場合、補助脚４ａ，４ｂは、釣竿受具１００全体のバランスがより安定化するように、ベース２、及びスタンド３を支持することができる。このように、補助脚４ａ，４ｂは、第一には、アンカー１の負担を分散させる機能を有し、第二には、ベース２、及び／又はスタンド３の姿勢変化に応じて、釣竿受具１００のバランスを安定化させる機能を有する。
【００４０】
上記のとおり、補助脚４ａ，４ｂは、アンカー１に掛かる負担を分散させる機能を有するが、釣対象の魚種に応じて、長さが異なる複数のサイズの補助脚４ａ，４ｂを用意しても構わない。補助脚４ａ，４ｂの長さが複数あれば、アンカー１のサイズや、釣り対象の魚種、釣竿受具１００を設置する岩場の状況等に応じて、最適な補助脚４ａ，４ｂを選択することが可能となる。そのため、一台の釣竿受具１００で、様々な魚種に対応することが可能となり、使用者にとって利便性の高い釣竿受具１００となる。
【００４１】
［釣竿受具の材質］
本実施形態の釣竿受具１００は、海釣りで好適に使用できるように、各構成部材の材質として硬質の耐食性金属材料を使用することが好ましい。使用可能な耐食性金属材料として、例えば、チタン、チタン合金、ステンレス鋼、アルミニウム合金が挙げられ、これらのうち、チタン、及びチタン合金が好ましい。チタン、及びチタン合金は、高い耐食性を有する金属であり、また、強度や耐熱性の点でも優れている。チタンには、純チタンであるＪＩＳ規格で規定されているＪＩＳ  Ｈ  ４６００  １種、ＪＩＳ  Ｈ  ４６００  ２種等があり、チタン合金には、ＪＩＳ規格で規定されているＪＩＳ  Ｈ  ４６００  ６０種（一般に、「６−４チタン」と呼ばれているチタン合金）、ＪＩＳ  Ｈ  ４６００  ６１種（一般に、「３−２−５チタン」と呼ばれているチタン合金）、ＪＩＳ  Ｈ  ４６００  １１種、ＪＩＳ  Ｈ  ４６００  １２種、ＪＩＳ  Ｈ  ４６００  ８０種等が挙げられる。これらのうち、チタン合金であるＪＩＳ  Ｈ  ４６００  ６０種（６−４チタン）が特に好ましい。上掲のようなチタン、又はチタン合金を使用して釣竿受具１００の各構成部材を構成すれば、従来の釣竿受具と比較して、耐食性・耐熱性・高強度という特性を備えた付加価値の高い製品として提供することができる。
【００４２】
＜釣竿受具の動作＞
［第一調整機構］
図１〜４に示されるように、第一調整機構１０は、アンカー１とベース２との間に設けられ、第一調整機構１０は、第一調整連結部１１、及び第一調整ダイヤル１２から構成されている。第一調整連結部１１は、下端にアンカー１を取り付けるためのアンカー取付部１１ａを有し、上方には第一調整ダイヤル１２と係合する第一調整部１１ｂを有する。第一調整部１１ｂ、及び第一調整ダイヤル１２はギア構造となっており、第一調整連結部１１をベース２に取り付けると、第一調整部１１ｂと第一調整ダイヤル１２とが係合するように構成される。
【００４３】
図８は、本発明の釣竿受具１００に係るベース２が、上面視で水平方向に旋回している様子を示す図である。図１〜４に示されるように、第一調整部１１ｂと第一調整ダイヤル１２とが係合した状態にあるとき、第一調整ダイヤル１２を回すと、第一調整ダイヤル１２の回転に応じて第一調整部１１ｂが回転し、第一調整連結部１１が上下に移動する。第一調整ダイヤル１２を適切に調整して第一調整連結部１１とベース２との連結が弛緩又は解除された状態になると、図８に示されるように、第一調整部１１ｂを軸としてベース２をアンカー１に対し上面視で水平方向に旋回させることができる。ベース２を水平方向に旋回させると、ベース２に取り付けられているスタンド３も同時に旋回するため、スタンド３に載置された釣竿も水平方向に旋回することとなる。従って、使用者は、釣竿の水平方向の向きを所望の方向に設定したい場合、第一調整ダイヤル１２を調整して、ベース２の旋回角度を調整すれば、釣竿の旋回角度を調整することができる。釣竿の旋回角度の設定が終了したら、第一調整ダイヤル１２を元の状態に戻して、ベース２と第一調整連結部１１とを連結する。
【００４４】
上記のように、本実施形態に係る釣竿受具１００は、第一調整ダイヤル１２による調整という簡単な操作で、ベース２の旋回角度（つまり、釣竿の水平方向の向き）や、ベース２の地上高（つまり、釣竿の設置高さ）を自由に設定することができる。従って、釣りの最中に釣りのポイントを変更したい場合、釣竿受具１００の設置場所を変更する必要はなく、岩場に設置した状態のまま釣りのポイントを変更することができる。
【００４５】
［第二調整機構］
図１〜４に示されるように、第二調整機構２０は、ベース２とスタンド３との間に設けられる。第二調整機構２０は、第二調整ボルト２１、及び第二調整孔２２（孔１３と孔２３とから構成される）から構成されている。図９は、本発明の釣竿受具１００に係るスタンド３が、正面視で上下方向に揺動している様子を示す図である。図９に示されるように、ベース２にスタンド３を取り付ける際、第二調整ボルト２１でベース２とスタンド３とを連結するため、第二調整ボルト２１はこれらの連結部材として機能する。一方、第二調整ボルト２１を緩めれば、ベース２とスタンド３との締め付けが解除されるため、図９に示されるように、スタンド３はベース２に対して正面視で上下方向に揺動可能となる。このとき、スタンド３に釣竿が載置されていれば、釣竿も上下方向に揺動する。従って、使用者は、釣竿の高さ位置を所望の高さ位置に設定したい場合、第二調整ボルト２１を緩めて、スタンド３の揺動角度を調整すれば、釣竿の揺動角度を設定することができる。釣竿の揺動角度の設定が終了したら、第二調整ボルト２１を締めて、ベース２とスタンド３とを連結する。
【００４６】
上記のように、本実施形態に係る釣竿受具１００は、第二調整ボルト２１を緩めるという簡単な操作で、スタンド３の揺動角度（つまり、釣竿の上下方向の向き）を自由に設定することができる。従って、釣りの最中に釣竿の高さ位置を変更したい場合、釣竿受具１００の設置箇所を変更する必要はなく、岩場に設置した状態のまま釣りのポイントを変更することができる。
【００４７】
［第三調整機構］
〔全体構成〕
図１〜８に示されるように、第三調整機構３０は、補助脚４ａ，４ｂが直接取り付けられる第三調整連結部３１、補助脚４ａ，４ｂに設けられている溝３５ａ，３５ｂ、３５ｃ，３５ｄ、又は３５ｅ，３５ｆ、凸状部分３６ａ，３６ｂ、３６ｃ，３６ｄ、又は３６ｅ，３６ｆ及び第三調整ボルト３７ａ，３７ｂから構成されている。第三調整連結部３１は、左右の対称な位置に、補助脚４ａ，４ｂを取り付けるための孔３８ａ，３８ｂが設けられており、両側部の対称な位置に、第三調整ボルト３７ａ，３７ｂを挿通させるための孔３８ａ，３８ｂが設けられている。また、第三調整連結部３１がベース２に取り付けられたとき、第三調整連結孔３２と連結する部位である第三調整連結ギア４０を有している。第三調整連結部３１をベース２に取り付ける場合、ベース２に設けられている第三調整連結ボルト３３を一旦外し、第三調整開閉部３４を開き、第三調整連結部３１の第三調整連結ギア４０と第三調整連結孔３２とが係合するように第三調整連結部３１をベース２に取り付ける。そして、第三調整開閉部３４を閉じて、第三調整連結ボルト３３でベース２と第三調整連結部３１とを連結する。補助脚４ａ，４ｂを第三調整連結部３１に取り付ける際は、孔３８ａ，３８ｂに補助脚４ａ，４ｂを挿通させ、補助脚４ａ，４ｂに設けられている溝３５ａ，３５ｂ、３５ｃ，３５ｄ、又は３５ｅ，３５ｆと第三調整ボルト３７ａ，３７ｂとが係合するように、孔３９ａ，３９ｂに第三調整ボルト３７ａ，３７ｂを挿通させる。上記の作業を行う順番は、第三調整連結部３１をベース２に取り付けた後に補助脚４ａ，４ｂを第三調整連結部３１に取り付けることもできるし、また、補助脚４ａ，４ｂを第三調整連結部３１に取り付けた後に第三調整連結部３１をベース２に取り付けることもできる。
【００４８】
〔有効長調整機構〕
図１０は、本発明の釣竿受具１００に係る第三調整機構３０の操作に伴う補助脚４ａの有効長及び／又は角度の変化の様子を示す図であり、（ａ）補助脚４ａの有効長の変化を示す図であり、（ｂ）補助脚４ａの角度の変化を示す図である。図１〜４、及び図１０（ａ）に示されるように、第三調整ボルト３７ａを緩めた場合、第三調整ボルト３７ａは溝３５ａの内部で若干浮いた状態となるため、補助脚４ａを螺旋状の溝３５ａに沿って回転させながら上下方向にスライド移動させることが可能となる。これにより、第三調整連結部３１より下方の補助脚４ａの長さである有効長を調整することができる。図１０（ａ）では図示されないが、補助脚４ｂに対しても同様の操作を行い、補助脚４ｂの有効長を調整することができる。このように、第三調整機構３０の構成部材である第三調整連結部３１、補助脚４ａ，４ｂに設けられている螺旋状の溝３５ａ，３５ｂ、３５ｃ，３５ｄ、又は３５ｅ，３５ｆ及び第三調整ボルト３７ａ，３７ｂによって、補助脚４ａ，４ｂの有効長調整機構が構成される。このような構成により、補助脚４ａ，４ｂを第三調整連結部３１に取り付けた状態で有効長の調整を容易に行うことができる。また、有効長調整機構を構成する第三調整ボルト３７ａ，３７ｂは別々に操作することができる。このため、第一調整機構１０の操作によるベース２の姿勢変化、及び／又は第二調整機構２０の操作によるスタンド３の姿勢変化に応じて、補助脚４ａ，４ｂの有効長を同一とする調整や、あるいは、補助脚４ａ，４ｂの有効長を異ならせる調整を行うことができる。また、第三調整ボルト３７ａは、補助脚４ａに設けられた螺旋状の溝３５ａに係合して固定されるため、第三調整ボルト３７ａを強い力で締め付け過ぎなくとも、補助脚４ａを強固に固定することができる。そのため、補助脚４ａを設置した状態で、第三調整ボルト３７ａを容易に緩めることができ、微調整を行うことが可能となるとともに、使用後は容易に取り外すことも可能となる。このように、ベース２、及び／又はスタンド３の姿勢変化を考慮して、釣竿受具１００のバランスを最適化することができる。また、釣竿受具１００を設置している岩場の状況に応じて、釣竿受具１００が安定した状態で釣竿を支持できるように、補助脚４ａ，４ｂの有効長を調整することもできる。
【００４９】
〔角度調整機構〕
本実施形態の釣竿受具１００に係る第三調整機構３０は、上記のような補助脚４ａ，４ｂの有効長の調整だけでなく、角度の調整も行うことができる。図１〜４、及び図１０（ｂ）に示されるように、ベース２に取り付けられている第三調整連結部３１を、第三調整連結ボルト３３を一旦外し、第三調整開閉部３４を開いて第三調整連結孔３２から取り出す。そして、補助脚４ａ，４ｂの傾きを変化させるように第三調整連結部３１を回転させ、この状態のまま、第三調整連結孔３２に戻し、第三調整開閉部３４を閉じて、第三調整連結ボルト３３を締め付けて第三調整連結部３１をベース２に固定する。このとき、補助脚４ａ及び補助脚４ｂは、調整前の状態から角度が変化する。このように、第三調整機構３０の構成部材である第三調整連結部３１によって、補助脚４ａ，４ｂの角度調整機構が構成される。このため、第一調整機構１０の操作によるベース２の姿勢変化、及び／又は第二調整機構２０の操作によるスタンド３の姿勢変化に応じて、補助脚４ａ，４ｂを第三調整連結部３１に取り付けた状態で補助脚４ａ，４ｂの角度の調整を行うことができる。このように、ベース２、及び／又はスタンド３の姿勢変化を考慮して、釣竿受具１００のバランスを最適化することができる。また、釣竿受具１００を設置している岩場の状況に応じて、釣竿受具１００が安定した状態で釣竿を支持できるように補助脚４ａ，４ｂの角度を調整することもできる。
【００５０】
上記のような第三調整機構３０に係る有効長調整機構、及び角度調整機構は、第一調整機構１０の操作によるベース２の姿勢変化、及び／又は第二調整機構２０の操作によるスタンド３の姿勢変化に応じて、補助脚４ａ，４ｂの有効長、及び角度のどちらか一方を調整することもできるし、両方を調整することもできる。
【００５１】
また、例えば、釣り対象の魚種が重い魚であって、この魚の釣竿を引っ張る力が大きいため、アンカー１に掛かる負担が大きくなった場合、釣竿が魚に揺さぶられて釣竿受具１００全体の姿勢が傾いたり、最終的に転倒する場合がある。そこで、第三調整機構３０に係る有効長調整機構、及び角度調整機構を操作して、補助脚４ａ，４ｂの有効長や角度を調整すれば、アンカー１に掛かる負担を補助脚４ａ，４ｂに分散させ、且つ、釣竿受具１００全体のバランスを安定させることに有効となる。
【００５２】
ここで、仮に、第三調整機構３０の構成が上記のような構成ではなく、第三調整連結部３１を第三調整連結孔３２に側方から挿通させるような構成であった場合、使用者が補助脚４ａ，４ｂを使用していたが不要になったと判断すると、まず、補助脚４ａ，４ｂを第三調整連結部３１の孔３８ａ、３８ｂから取り外した後、第三調整連結孔３２から引き出すという作業をしなければならない。しかし、本実施形態の釣竿受具１００の構成であれば、補助脚４ａ，４ｂが第三調整連結部３１に取り付けられた状態のまま、第三調整連結ボルト３３を外し、第三調整開閉部３４を開いて第三調整連結部３１を取り出すという簡単な作業で済むため、上記のような手間を省くことができる。
【００５３】
上記のような有効長調整機構、及び角度調整機構は、いずれも補助脚４ａ，４ｂに係る調整機構である。このように、異なる機能を有する調整機構であるが、同一部材の操作によって調整可能であるため、釣竿受具１００の構造を簡単なものとすることができ、コンパクト化した構造を実現できる。また、同一部材（補助脚４ａ，４ｂ）に有効長調整機構、及び角度調整機構が存在するため、使い勝手の良い釣竿受具１００となる。
【００５４】
また、本発明の釣竿受具１００は、図２〜４に示されるように、第一調整機構１０を介して、アンカー１とベース２とが着脱可能であり、第二調整機構２０を介して、ベース２とスタンド３とが着脱可能であり、第三調整機構を介して、ベース２と補助脚４ａ，４ｂとが着脱可能であるように構成されている。さらに、各調整機構に係る構成部材も着脱可能に構成されている。このため、使用者は釣竿受具１００の各構成部材をばらした状態で持ち運び、釣場で組み立てることができるため、非常に利便性に優れている。
【産業上の利用可能性】
【００５５】
本発明の釣竿受具は、海釣りや川釣り等の岩場で釣りを行う際に好適に使用できる。
【符号の説明】
【００５６】
１                                              アンカー
１ａ                                            下端
１ｂ                                            上端
２                                              ベース
３                                              スタンド
４ａ，４ｂ                                      補助脚
１０                                            第一調整機構
１１                                            第一調整連結部
１１ａ                                          アンカー取付部
１１ｂ                                          第一調整部
１２                                            第一調整ダイヤル
２０                                            第二調整機構
２１                                            第二調整ボルト
２２                                            第二調整孔
２４                                            前受部
２７                                            当接部材
２９                                            後受部
３０                                            第三調整機構
３１                                            第三調整連結部
３２                                            第三調整連結孔
３３                                            第三調整連結ボルト
３５ａ，３５ｂ，３５ｃ，３５ｄ，３５ｅ，３５ｆ  溝
３６ａ，３６ｂ，３６ｃ，３６ｄ，３６ｅ，３６ｆ  凸状部分
３７ａ，３７ｂ                                  第三調整ボルト
１００                                          釣竿受具
Ａ                                              釣竿
【図１】
2018033405.tif 000003
【図２】
2018033405.tif 000004
【図３】
2018033405.tif 000005
【図４】
2018033405.tif 000006
【図５】
2018033405.tif 000007
【図６】
2018033405.tif 000008
【図７】
2018033405.tif 000009
【図８】
2018033405.tif 000010
【図９】
2018033405.tif 000011
【図１０】
2018033405.tif 000012